(57)【要約】      （修正有）【課題】管体の適正な切断位置を案内し且つ挿入口に対する接続端部の差し込み不足を簡単に確認できる、管体を提供する。【解決手段】管体Ａの接続端部Ａ１を外表面Ａ２の切断目印１に沿って第一目印２及び第二目印３の間で切断する。この切断位置が適正であると、管体Ａの切断面Ａ３から次の第一目印２までの間隔は、差込寸法Ｌよりも短くなり、管体Ａの切断面Ａ３から次の第二目印３までの間隔は、差込寸法Ｌよりも長くなる。そのため、適正に切断された接続端部Ａ１を差込対象Ｂの挿入口１１に対して適正に差込寸法Ｌ分だけ差し込むことにより、次の第一目印２が挿入口１１内に没入して隠れると同時に、次の第二目印３が挿入口１１から露出する。もし、挿入口１１に対する接続端部Ａ１の差し込みが不十分である場合には、次の第一目印２及び第二目印３が共に挿入口１１から露出する。【選択図】図１
2017002934.tif 000002
【特許請求の範囲】
【請求項１】
差込対象に接続するため、前記差込対象の挿入口に対し、その接続端部が所要の差込寸法分だけ差し込まれる管体であって、
前記接続端部を含む外表面に軸方向へ前記差込寸法と同じ間隔を空けて複数設けた第一目印及び第二目印の間に形成される切断目印を備え、
前記切断目印，前記第一目印及び前記第二目印は、互いの相対位置を保持したままそれぞれ前記差込寸法をピッチとして軸方向へ連続して並ぶように形成されることを特徴とする管体。
【請求項２】
前記第一目印及び前記第二目印が、軸方向と直角な周方向へそれぞれ形成され、前記第一目印と前記第二目印の間に形成される領域を前記切断目印とすることを特徴とする請求項１記載の管体。
【請求項３】
前記差込対象が、筒状の前記挿入口を有するワンプッシュ式の管継手であり、前記挿入口に前記接続端部が前記差込寸法分だけ差し込まれることで引き抜き不能に接続されることを特徴とする請求項１又は２記載の管体。
【請求項４】
請求項１、２又は３記載の前記管体と、前記差込対象からなる管接続装置。
【発明の詳細な説明】
【技術分野】
【０００１】
本発明は、管継手などの差込対象に対する差込長さを示す標識が付された、可撓性を有する変形可能なホースやチューブ又は変形困難なパイプなどの管体、及び管体と差込対象からなる管接続装置に関する。
【背景技術】
【０００２】
従来、この種の管体及び管接続装置として、樹脂パイプの長手方向に等間隔にかつ直角に周線が画かれ、この周線の間隔は、ワンプッシュによって接続されるパイプ継手への差込量と同一若しくはこれに対して±３ｍｍ以内の間隔であり、この周線間に文字や矢印又は絵等による表示を形成した樹脂パイプがある（例えば、特許文献１参照）。
樹脂パイプの切断は、周線をもって切断され、作業者はこの文字や矢印又は絵が消えるまでパイプ継手中に差し込むことによって、完全に樹脂パイプがパイプ継手と連結されたことが確認できるように構成している。
【先行技術文献】
【特許文献】
【０００３】
【特許文献１】特開２０００−０８８１５４号公報
【発明の概要】
【発明が解決しようとする課題】
【０００４】
ところで、管体を周線上で直角となるように正確に切断することは難しい。特に樹脂パイプのように表面が硬質で刃物が滑り易い場合には、周線から切断位置がズレしてしまい、差込量よりも短く切断されたり、差込量よりも長く切断されたりすることが多かった。
しかし乍ら、特許文献１では、樹脂パイプの切断位置がズレて差込量よりも短くなると、パイプ継手内へ適正な差し込みが行われても、周線はパイプ継手内に入り込んで見えなくなることがある。この場合、作業者は適正位置で切断が行われたか不安になる。
また、樹脂パイプの切断位置がズレて差込量よりも長くなると、パイプ継手内へ適正な差し込みが行われても、周線はパイプ継手から離れて現れることがある。この場合、作業者は次の周線まで差し込むことができないため、不安になる。
特に、多数の接続作業を行う現場では、管体の切断作業、継手への差し込み作業、差込量の確認作業を複数の作業者に分けて工事をするため、作業者間で混乱が生じてしまい、円滑な工事が行えないという問題があった。
【０００５】
本発明は、このような問題に対処することを課題とするものであり、管体の適正な切断位置を案内し且つ挿入口に対する接続端部の差し込み不足を簡単に確認すること、などを目的とするものである。
【課題を解決するための手段】
【０００６】
このような目的を達成するために本発明に係る管体は、差込対象に接続するため、前記差込対象の挿入口に対し、その接続端部が所要の差込寸法分だけ差し込まれる管体であって、前記接続端部を含む外表面に軸方向へ前記差込寸法と同じ間隔を空けて複数設けた第一目印及び第二目印の間に形成される切断目印を備え、前記切断目印，前記第一目印及び前記第二目印は、互いの相対位置を保持したままそれぞれ前記差込寸法をピッチとして軸方向へ連続して並ぶように形成されることを特徴とする。
また本発明に係る管接続装置は、前記管体と、前記差込対象からなることを特徴とする。
【発明の効果】
【０００７】
前述した特徴を有する本発明に係る管体及び管接続装置は、管体の接続端部を外表面の切断目印に沿って第一目印及び第二目印の間で切断する。この切断位置が適正であると、管体の切断面から次の第一目印までの間隔は、差込寸法よりも短くなり、管体の切断面から次の第二目印までの間隔は、差込寸法よりも長くなる。そのため、適正に切断された接続端部を差込対象の挿入口に対して適正に差込寸法分だけ差し込むことにより、次の第一目印が挿入口内に没入して隠れると同時に、次の第二目印が挿入口から露出する。もし、挿入口に対する接続端部の差し込みが不十分である場合には、次の第一目印及び第二目印が共に挿入口から露出する。すなわち、挿入口から第一目印が露出するか否かを確認するだけで、挿入口に対する管体の差し込み長さが簡単に判る。
したがって、管体の適正な切断位置を案内し且つ挿入口に対する接続端部の差し込み不足を簡単に確認することができる。
その結果、周線上で正確に切断できないと作業者に不安を感じさせる従来のものに比べ、安心で且つ安全な接続作業を行うことができる。
それにより、管体の切断作業、差込対象への差し込み作業、差込量の確認作業を複数の作業者に分けて工事をしても、いずれの作業者も第一目印の位置だけを確認すれば安心して作業ができ、作業性及び安全性の向上が図れる。
例えば、差込対象への差し込み作業が終了した後、差し込み作業を行った作業者と別な第三者（監督者）が適切に管体が確実に差し込まれているかを容易に点検できて、作業性に優れる。
【図面の簡単な説明】
【０００８】
【図１】本発明の実施形態に係る管体及び管接続装置の全体構成を示す説明図であり、（ａ）が管体の接続開始時の縦断正面図、（ｂ）が管体の接続開始時の縦断正面図である。
【図２】管体の切断工程を示す説明図であり、（ａ）が管体の切断前の斜視図、（ｂ）が管体の切断後の斜視図である。
【図３】差込対象に対する管体の差し込み工程を示す説明図であり、（ａ）が管体の差し込み前の斜視図、（ｂ）が管体を適正に差し込んだ状態の拡大斜視図である。
【図４】差込対象に対して管体が適正に差し込まれなかった状態の拡大斜視図である。
【発明を実施するための形態】
【０００９】
以下、本発明の実施形態を図面に基づいて詳細に説明する。
本発明の実施形態に係る管体Ａは、図１〜図４に示すように、管継手などの差込対象Ｂに対する差込長さを示す標識が付され、差込対象Ｂの挿入口１１に対し、その接続端部Ａ１を所要の差込寸法Ｌ分だけ差し込むことで、差込対象Ｂに接続される、可撓性を有する変形可能なホースやチューブか、又は変形困難なパイプなどである。
詳しく説明すると、本発明の実施形態に係る管体Ａは、接続端部Ａ１を含む外表面Ａ２に軸方向へ差込寸法Ｌと同じ間隔を空けて複数設けた第一目印２及び第二目印３の間に形成される切断目印１を、主要な構成要素として備えている。
また、本発明の実施形態に係る管接続装置は、管体Ａと、後述する差込対象Ｂとからなる。
なお、差込対象Ｂに対する管体Ａの挿入方向を以下「管挿入方向Ｎ」という。管挿入方向Ｎと逆方向を以下「管抜け方向Ｕ」という。
【００１０】
管体Ａは、その軸方向一端又は両端に接続端部Ａ１を有している。
管体Ａにおいて少なくとも接続端部Ａ１を含む外表面Ａ２には、差込対象Ｂに対する差込長さを示す標識として、切断目印１，第一目印２及び第二目印３からなる目印群Ｍが、互いの相対位置を保持したまま複数組それぞれ差込寸法Ｌをピッチとして軸方向へ連続して並ぶように形成されている。
すなわち、目印群Ｍにおいて切断目印１，第一目印２及び第二目印３は、接続端部Ａ１の外表面Ａ２又は管体Ａの全長の外表面Ａ２に亘り、差込対象Ｂに対する差込寸法Ｌ分だけ軸方向へ離れて繰り返し付されている。
これにより、目印群Ｍにおいて切断目印１，第一目印２及び第二目印３の間隔は、それぞれ差込寸法Ｌ分だけ軸方向へ離れて、接続端部Ａ１が差込対象Ｂの挿入口１１に差し込まれる長さを示している。
【００１１】
切断目印１は、ハサミやカッターなどの刃物Ｃによる管体Ａの切断位置を指し示す標識である。作業者は、差込対象Ｂの挿入口１１に対する管体Ａの差し込み前に、管体Ａの接続端部Ａ１を刃物Ｃにより切断目印１に沿って切断することで、管体Ａの接続端部Ａ１の先端に切断面Ａ３が形成される。
第一目印２及び第二目印３は、差込対象Ｂの挿入口１１に対して管体Ａの接続端部Ａ１を作業者が適正に差し込んだか否かを、同一の作業者又は他の作業者が判断するための標識である。
特に、目印群Ｍのうち第一目印２及び第二目印３は、管体Ａの外表面Ａ２において軸方向と直角な周方向へそれぞれ形成され、第一目印２と第二目印３の間に形成される領域を切断目印１とすることが好ましい。
【００１２】
目印群Ｍの具体例として、図１〜図４に示される場合には、管体Ａの外表面Ａ２に第一目印２及び第二目印３が、インクジェットなどによる印刷やその他の印刷方法やそれ以外の表示方法でそれぞれ周方向へ延びる線状に付され、第一目印２と第二目印３で挟まれる無模様の領域を切断目印１としている。図示例では、第一目印２及び第二目印３として、管体Ａの外表面Ａ２の周方向一部のみに不連続な線を、それぞれ同一太さ同一デザインにより平行に配置している。
さらに、切断目印１となる第一目印２と第二目印３の間隔は、ハサミやカッターなどの刃物Ｃで管体Ａを切断するために必要なスペースよりも広く形成することが好ましい。
その具体例として、管体Ａが可撓性を有する変形可能なホースやチューブであり、その外径が約１０〜２０ｍｍである場合には、第一目印２及び第二目印３の間隔を約１〜３ｍｍ、詳しくは約２ｍｍ程度に設定することが好ましい。また管体Ａが変形困難なパイプであり、その外径が約２０〜３０ｍｍである場合には、第一目印２及び第二目印３の間隔を約１〜５ｍｍ、詳しくは約２〜４ｍｍ程度に設定することが好ましい。
また、その他の例として図示しないが、第一目印２及び第二目印３を管体Ａの外表面Ａ２の周方向全体に亘って連続する環状線に変更したり、第一目印２と第二目印３で線の形状や太さやデザインを変更したり、目印群Ｍの他に管体Ａの品番やサイズや名称や製造日などの情報を設けたり、管体Ａ以外の管と識別するための標識などを設けることも可能である。
【００１３】
差込対象Ｂは、管継手などで構成され、管体Ａの接続端部Ａ１が差し込まれる挿入口１１と、挿入口１１に差し込まれた管体Ａの接続端部Ａ１において内表面Ａ４又は外表面Ａ２に密着する止水部材１２と、挿入口１１に差し込まれた管体Ａの接続端部Ａ１を移動不能に保持する抜け止め部材１３と、を有している。
挿入口１１は、管体Ａの接続端部Ａ１が収容される収容穴１１ａと、管体Ａの接続端部Ａ１の切断面Ａ３が当接する位置決め部１１ｂと、を有している。
収容穴１１ａは、挿入口１１の内側に管体Ａの外径と略同じか又は管体Ａの外径よりも若干大径の円筒状若しくは円柱状に形成され、収容穴１１ａにおいて管挿入方向Ｎの奥端には、位置決め部１１ｂが設けられている。
位置決め部１１ｂは、管体Ａの接続端部Ａ１が所定位置を越えて差し込まれるのを規制するストッパーであり、位置決め部１１ｂから挿入口１１の口元１ｃまでの管挿入方向Ｎの長さを差込寸法Ｌとしている。
【００１４】
このような本発明の実施形態に係る管体Ａ及び管接続装置によると、先ず図２（ａ）（ｂ）に示されるように、作業者が管体Ａの接続端部Ａ１を外表面Ａ２の切断目印１に沿って第一目印２及び第二目印３の間で切断する。この切断位置が適正であると、管体Ａの切断面Ａ３から次の第一目印２までの間隔は、差込寸法Ｌよりも短くなり、管体Ａの切断面Ａ３から次の第二目印３までの間隔は、差込寸法Ｌよりも長くなる。
そのため図１（ａ）（ｂ）及び図３（ａ）（ｂ）に示されるように、作業者が適正に切断された接続端部Ａ１を差込対象Ｂの挿入口１１に対して管挿入方向Ｎへ適正に差込寸法Ｌ分だけ差し込むことにより、次の第一目印２が挿入口１１内に没入して隠れると同時に、次の第二目印３が挿入口１１から露出する。
もし図４に示されるように、差込対象Ｂの挿入口１１に対して作業者による接続端部Ａ１の差し込みが不十分である場合には、次の第一目印２及び第二目印３が共に挿入口１１から露出する。
すなわち、作業者は、挿入口１１から第一目印２が露出するか否かを確認するだけで、差込対象Ｂの挿入口１１に対する管体Ａの差し込み長さが簡単に判る。
したがって、管体Ａの適正な切断位置を案内し且つ挿入口１１に対する接続端部Ａ１の差し込み不足を簡単に確認することができる。
その結果、安心で且つ安全な接続作業を行うことができる。
それにより、管体Ａの切断作業、差込対象Ｂへの差し込み作業、差込量の確認作業を複数の作業者に分けて工事をしても、いずれの作業者も第一目印２の位置だけを確認すれば安心して作業ができ、作業性及び安全性の向上が図れる。
例えば、差込対象Ｂへの差し込み作業が終了した後、差し込み作業を行った作業者と別な第三者（監督者）が適切に管体Ａが確実に差し込まれているかを容易に点検できて、作業性に優れる。
【００１５】
特に、第一目印２及び第二目印３が、軸方向と直角な周方向へそれぞれ形成され、第一目印２と第二目印３の間に形成される領域を切断目印１とすることが好ましい。
この場合には、管体Ａの外表面Ａ２に少なくとも第一目印２及び第二目印３を設けるだけで、第一目印２と第二目印３で挟まれる領域に、標識が無くても切断目印１であることが解る。
したがって、簡素な標識で切断目印１を表現することができる。
その結果、切断目印１，第一目印２及び第二目印３をシンプルなデザインにすることができ、コストの低減化が図れる。
さらに、第一目印２と第二目印３の間隔を、刃物Ｃで管体Ａを切断するために必要なスペースよりも広く形成した場合には、刃物Ｃによる管体Ａの切断作業が余裕を持って行える。
したがって、刃物Ｃによる管体Ａの切断作業を簡単で且つ正確に行える。
【実施例】
【００１６】
次に、本発明の一実施例を図面に基づいて説明する。
この実施例は、図１〜図４に示すように、差込対象Ｂが、筒状の挿入口１１を有するワンプッシュ式の管継手Ｂ１であり、挿入口１１に接続端部Ａ１を差込寸法Ｌ分だけ差し込むことにより、管体Ａが引き抜き不能に接続されるものである。
つまり、実施例に係る管接続装置は、差込対象Ｂとして、管体Ａが差し込まれるだけで抜け止め部材１３を自動的に作動させ接続作業が完了する工具不要なワンプッシュ式の管継手Ｂ１を備えている。
管体Ａとして、可撓性を有する変形可能なホースやチューブを接続する場合を示している。
【００１７】
詳しく説明すると、ワンプッシュ式の管継手Ｂ１は、挿入口１１として管体Ａの内表面Ａ４と対向するように設けられるニップル１１ｄと、ニップル１２の外周面に設けられる環状の止水部材１２と、抜け止め部材１３としてニップル１１ｄの外側に管体Ａを挟むように設けられるスリーブ１３ａと、スリーブ１３ａの外周面と対向してその軸方向へ傾斜するように設けられるテーパー面１４ａを有する円筒カバー１４と、スリーブ１３ａをテーパー面１４ａに沿ってその傾斜方向へ押圧するコイルバネやスプリングなどの弾性部材１５と、を主要な構成要素として備えている。
環状の止水部材１２は、例えばＯリングなどの弾性変形可能にシール材料で形成され、ニップル１１ｄの外周面に形成した周溝１１ｅに嵌め込まれて、その外周端全体がニップル１２の外周面から管体Ａの内表面Ａ４へ向けて突出するように配置されている。
さらに、ニップル１１ｄの外周面における周溝１１ｅの近傍には、リブ部１１ｆを止水部材１２の外周端へ向かって管挿入方向Ｎへ徐々に突出するように設けることが好ましい。
リブ部１１ｆは、少なくとも周溝１１ｅ及び止水部材１２よりもニップル１１ｄの先端側における外周面に沿って周方向へ複数それぞれ分散して突出配置される。
【００１８】
抜け止め部材１３となるスリーブ１３ａは、表面の滑り性と耐熱性に優れた合成樹脂などの弾性変形可能な材料で略円筒状に形成され、すり割りや凹みなどの弾性変形部１３ｂを形成することでその径方向へ拡径及び縮径変形可能構成される。
スリーブ１３ａの外周面には、円筒カバー１４のテーパー面１４ａに沿って管挿入方向Ｎへ往復動自在な摺動面１３ｃが形成される。
スリーブ１３ａの内周面には、ニップル１１ｄの外周面に向けて突出する突起部１３ｄが形成される。図示例の場合には、スリーブ１３ａの軸方向中間位置に第１の突起部１３ｄが、管挿入方向Ｎの奥側端部に第２の突起部１３ｄが二つそれぞれ所定間隔を空けて一体成形されている。
円筒カバー１４は、透明材料により形成して、その内側に配置されるニップル１１ｄ及びスリーブ１３ａと収容穴１１ａが外側から透視可能に構成することが好ましい。
なお、ニップル１１ｄには、他の機器（図示しない）や他の管体（図示しない）などが接続される接続部１６を設け、接続部１６を介してそれに接続される他の機器や他の管体などと、ニップル１１ｄの外周面に接続される管体Ａを連結させている。
【００１９】
このようなワンプッシュ式の管継手Ｂ１は、図１（ａ）及び図３（ａ）に示されるように、ニップル１１ｄに対し管体Ａの接続端部Ａ１を差し込むことで、先ず、管体Ａの切断面Ａ３がスリーブ１３ａにおける突起部１３ｄ（第１の突起部１３ｄ）に突き当たる。この突き当たり状態を維持しながら管体Ａを押し込むことで、スリーブ１３ａの摺動面１３ｃが円筒カバー１４のテーパー面１４ａに沿って摺動し、第１の突起部１３ｄを含むスリーブ１３ａ全体が弾性部材１５の押圧力に抗して管挿入方向Ｎへ移動する。
それにより、スリーブ１３ａの摺動面１３ｃがテーパー面１４ａに沿って管挿入方向Ｎへ押動されるため、スリーブ１３ａの弾性拡径により摺動面１３ｃと突起部１３ｄ（第１の突起部１３ｄ及び第２の突起部１３ｄ）が徐々に拡径変形する。
【００２０】
その後、突起部１３ｄ（第１の突起部１３ｄ）の拡径変形に伴って、その先端内径が管体Ａの先端外径よりも大きくなると、突起部１３ｄ（第１の突起部１３ｄ）から管体Ａの切断面Ａ３が外れ、最終的には、図１（ｂ）及び図３（ｂ）に示されるように、管体Ａの切断面Ａ３が、突起部１３ｄ（第２の突起部１３ｄ）から外れて、ニップル１１ｄの管挿入方向Ｎ奥側に突出形成される位置決め部１１ｂに突き当たって挿入が完了する。
それにより、弾性部材１５でスリーブ１３ａの摺動面１３ｃがテーパー面１４ａに沿って管抜け方向Ｕへ勢い良く押圧され、それに伴いスリーブ１３ａが一気に縮径変形して突起部１３ｄの内端を管体Ａの外表面Ａ２に食い込ませ、管体Ａがニップル１１ｄの外周面との間に管抜け方向Ｕへ移動不能に挟持される。
したがって、管体Ａの挿入をスムーズにしながら管体Ａの挿入だけで確実に抜け不能に保持することができる。
【００２１】
このような本発明の実施例に係る管体Ａ及び管接続装置によると、ワンプッシュ式の管継手Ｂ１の挿入口１１に対し、適正に切断された接続端部Ａ１を、管体Ａの切断面Ａ３から次の第一目印２が、挿入口１１内に没入して隠れる位置まで差し込むことにより、接続端部Ａ１を適正位置まで差し込んだことが自覚可能になる。
したがって、ワンプッシュ式の管継手Ｂ１に対する接続ミスを確実に防止することができる。
その結果、ワンプッシュ式の管継手Ｂ１における優れた作業性に加えて高い安全性が得られるという利点がある。
さらに、円筒カバー１４を透明材料により形成して収容穴１１ａが外側から透視可能に構成した場合には、円筒カバー１４を透して、管体Ａの切断面Ａ３が位置決め部１１ｂに突き当たったことを目視で確認することができる。
これにより、ワンプッシュ式の管継手Ｂ１に対する接続ミスをより確実に防止することができる。
【００２２】
なお、前示実施例では、差込対象Ｂとして、管体Ａを差し込むだけで抜け止め部材１３が自動的に作動し、管体Ａを引き抜き不能に接続して接続作業が完了する工具不要なワンプッシュ式の管継手Ｂ１を用いた例を示したが、これに限定されず、差込対象Ｂとして、ワンプッシュ式の管継手Ｂ１以外に、特開２０００−０８８１５４号公報に開示されるような管継手（パイプ継手）や、管体Ａの差し込み後に逆方向（管抜け方向Ｕ）へ移動させることにより、管体Ａを引き抜き不能に接続して接続作業が完了する管継手や、管体Ａの差し込み後に工具で抜け止め部材１３を作動させることで管体Ａが引き抜き不能に接続される管継手などを用いても良い。
さらに、管体Ａとして可撓性を有する変形可能なホースやチューブを接続する場合を示したが、これに限定されず、変形可能なホースやチューブ以外に特開２０００−０８８１５４号公報に開示されるような変形困難なパイプ（樹脂パイプ）を接続しても良い。
【符号の説明】
【００２３】
Ａ  管体                                Ａ１  接続端部
Ａ２  外表面                            Ａ３  切断面
１  切断目印                            ２  第一目印
３  第二目印                            Ｂ  差込対象
Ｂ１  管継手                            １１  挿入口
Ｌ  差込寸法
【図１】
2017002934.tif 000003
【図２】
2017002934.tif 000004
【図３】
2017002934.tif 000005
【図４】
2017002934.tif 000006